(57)【要約】      （修正有）【課題】環境に左右され難く、雪庇抑制効果が確実で高く、コストの安い雪崩予防柵の雪庇防止部材を提供する。【解決手段】雪崩予防柵から略鉛直な支柱１１を横方向に間隔を空けて設け、前記支柱間１１に横長短冊状鋼板の防雪板１２を掛け渡し、最上の防雪板１２の上端には、雪を切り落とす上端が尖った雪切部材１３を設け、防雪板１２の短手断面は、中央付近を斜面山側に凸部１２ａとし、凸部１２ａの上下端から上下へ直線取付け部１２ｂとなるよう屈曲成形し、直線取付け部１２ｂで防雪板１２が支柱１１に固定されるようにした。【選択図】図３
0003222532.tif 000002
【実用新案登録請求の範囲】
【請求項１】
斜面に設置される雪崩予防柵の上端部に設ける雪庇防止部材であって、
前記雪崩予防柵から略鉛直な支柱を横方向に間隔を空けて設け、
前記支柱間に横長短冊状鋼板の防雪板を掛け渡し、
最上の防雪板の上端には、雪を切り落とす上端が尖った雪切部材を設け、
前記防雪板の短手断面は、中央付近を前記斜面山側に凸部とし、前記凸部の上下端から上下へ直線取付け部となるよう屈曲成形し、前記直線取付け部で防雪板が支柱に固定される雪庇防止部材。
【請求項２】
前記防雪板の凸部の上下の略中央から下方は多穴とし、上方は無穴とした請求項１に記載の雪庇防止部材。
【考案の詳細な説明】
【技術分野】
【０００１】  本考案は、降雪地の斜面で雪崩の発生を予防するための雪崩予防柵に関し、特に雪崩予防柵上に生じる雪庇の形成防止に関する。
【背景技術】
【０００２】  降雪地域では、冬季に屋上が略平らな施設において、屋上の上縁外方へと雪庇が形成される。雪庇は積雪上層の荷重や圧力で、積雪体積の減少、沈降が生じる圧密沈降やクリープといった作用により生じ、積雪が上縁外方にせり出して巻きだれるような形状となる。また、季節風の影響により、屋上を吹き越す風が風下側で風速を弱めて下方に向かって巻き込む渦となり、運ばれてきた雪がその粘着性によって雪庇に付着して大きく成長していく。大きく成長した雪庇は、その基部がいつしか自重に耐えられなくなって剪断され、雪塊となって落下し、下方の器物や通行人に危害を与える問題がある。【０００３】  このような雪庇の問題は施設等に限らず、道路や線路脇の斜面に設置する雪崩予防柵にも形成されることが問題となっている。雪崩予防柵は斜面に対して主に略垂直に立設するが、斜面と雪崩予防柵との間に積雪し、立設地や気象状況によっては斜面に沿って流れる風も影響し、上記屋上と同様な形成過程で雪庇が発生する。従って、雪崩予防柵で防護すべき下方の道路や線路、交通車両等に雪庇が滑落して危害を与えることが問題となっている。【０００４】  このような雪庇対策として、例えば実用新案登録第３１３４４８０号公報に示されるような雪崩予防柵が提案されている。この考案では、第一に柵本体の上部に突設した雪庇分割柱からなる雪庇形成防止体の例、第二に同様に柵本体の上部に突設した略冂状に構成した雪庇形成防止体、第三に凸湾曲面からなる雪庇滑落面を形成した雪庇形成防止体の例が示されている。いずれも雪庇の形成過程で分割排除したり、滑落させることで雪庇が大きく成長するのを未然に防止して危険な事態を回避することができるとしている。
【先行技術文献】
【特許文献】
【０００５】
【特許文献１】実用新案登録第３１３４４８０号公報
【考案の概要】
【考案が解決しようとする課題】
【０００６】  しかしながら、特許文献１の第一の実施形態の雪庇形成防止体において、雪庇分割柱を横方向に間隔を空けて設けても、ある程度間隔を詰めて設置しないと雪庇が出来てしまうため、多数の柱が必要となり、柱状部材だけで済むというコストメリットが無い。また、雪庇分割柱の間には雪庇の形成を防止するものがないから、環境によっては形成されてしまい、確実性がない。【０００７】  また、特許文献１の第二の実施形態の雪庇形成防止体では、概ね雪崩防止柵の柵高さを延長したような形状となる。斜面と垂直方向に柵を形成すると、いくら柵高さを高くしても、鉛直から降る雪にとって斜めの降雪を受ける面を有することとなり、その先端には雪庇が形成されてしまう。【０００８】  また、特許文献１の第三の実施形態に係る雪庇滑落面を有する雪庇形成防止体にしても、氷着や前述の雪の粘着性により想定した滑落効果が得られない環境もある。滑落面が積雪面となり逆に雪庇の形成を助長することや、滑落面から積雪が谷側へ落下する可能性がある。【０００９】  そこで本考案は、環境に左右され難く、雪庇抑制効果が確実で高く、コストの安い雪崩予防柵の雪庇防止部材を提供することを目的とする。
【課題を解決するための手段】
【００１０】  本考案の請求項１に係る雪崩予防柵の雪庇防止部材１０は、斜面Ｇに設置される雪崩予防柵の上端部に設ける雪庇防止部材であって、雪崩予防柵１から略鉛直な支柱１１を横方向に間隔を空けて設け、前記支柱１１間に横長短冊状鋼板の防雪板１２を掛け渡し、最上の防雪板１２の上端には、雪を切り落とす上端が尖った雪切部材１３を設け、前記防雪板１２の短手断面は、中央付近を前記斜面山側に凸部１２ａとし、前記凸部１２ａの上下端から上下へ直線取付け部１２ｂとなるよう屈曲成形し、前記直線取付け部１２ｂで防雪板１２が支柱１１に固定されるものである。【００１１】  雪崩防止柵１に設けた支柱１１に、防雪板１２を掛け渡すことで横方向に隙間のない連続した構造の雪庇防止部材１０を構成でき、雪庇防止部材１０を略鉛直に構成することで、積雪面が少ない雪庇防止部材とすることができる。【００１２】  また、防雪板１２の短手断面において、凸部１２ａを斜面Ｇ山側に凸としたため、谷側に鉛直に降る雪が積雪する部分が無い。【００１３】  本考案の請求項２に係る雪崩予防柵の雪庇防止部材１０は、請求項１に記載の考案において、防雪板１２の凸部１２ａの上下の略中央から下方は多穴１２ｃを設け、上方は無穴としたものである。【００１４】  多穴１２ｃを設けることで、穴から太陽光を山側斜面へ通すことや風を通過させることができる。また、上方は無穴とすることで、防雪板１２の強度の低下を防止できる。
【考案の効果】
【００１５】  雪崩防止柵１に設けた支柱１１に、防雪板１２を掛け渡すことで横方向に隙間のない連続した構造の雪庇防止部材１０とすることで、効果のばらつきが生じ難い。また、横長短冊状鋼板の防雪板１２を掛け渡すことで構成しているため、軽量かつコストも安い。【００１６】  また、雪庇防止部材１０を略鉛直に構成することで、積雪しにくいから上端に雪庇が形成され難い。さらに、上端に雪切部材１３を設けたため、着雪した雪も小さいうちに切り落とすことができる。【００１７】  さらに、防雪板１２の凸部１２ａを前記斜面山側に凸としたため、谷側に鉛直に降る雪が積雪する部分が無いから、積雪が谷側へ落ちる心配が無い。【００１８】  また、防雪板１２の凸部１２ａの上下の略中央から下方は多穴１２ｃとすることで、穴から太陽光を山側斜面へ通して融雪し、防雪板１２が山側から受ける雪圧を低減することができる。また、多穴１２ｃにより通風して雪の吹き止め（堰き止め）も低減することできる。【００１９】  また、防雪板１２の凸部１２ａの上方は無穴とすることで、防雪板１２の強度の低下を防止し、山側からの雪圧に対して防雪板１２が破損することを防止できる。
【図面の簡単な説明】
【００２０】
【図１】図１は一般的な雪崩予防柵の一例を示す斜視図である。
【図２】図２は図１の雪崩予防柵の側面図である。
【図３】図３は本考案の実施形態に係る雪崩予防柵の雪庇防止部材を示す分解斜視図である。
【図４】図４は図３の防雪板の側面図である。
【図５】図５は本考案の実施形態に係る雪庇防止部材を雪崩予防柵に取り付けた谷側から見たの斜視図である。
【図６】図６は図５の雪庇防止部材を山側から見た斜視図である。
【図７】図７は図５の雪崩予防柵の雪庇防止部材の一部を切り欠いた側面図である。
【考案を実施するための形態】
【００２１】  環境に左右され難く、雪庇抑制効果が確実で高く、コストの安い雪崩防止柵の雪庇防止部材を提供するという目的を、雪庇防止部材を雪崩防止柵上端に略鉛直に構成すると共に、雪崩防止柵に間隔を空けて取付けた支柱と、横長短冊状鋼板の防雪板で主に構成することで実現した。
【実施例】
【００２２】  以下、本考案に係る雪崩予防柵の雪庇防止部材の一実施形態について図１から図７を参照して説明する。【００２３】  図１は一般的に設置される雪崩予防柵１で、図２はその側面図において雪庇が形成される状態を示す図である。雪崩予防柵１は略Ｌ字状の雪崩柵支柱２を斜面Ｇに沿って横方向に間隔を空けて複数設置し、その柱材２ａは斜面Ｇに対して略垂直状態に立設する。柱材２ａ間には、複数本の丸鋼管３を上下に間隔を空けて横方向に掛け渡し、柱材２ａにＵボルトで固定している。この丸鋼管３による格子面が雪の滑落を抑制する。【００２４】  雪崩柵支柱２の柱材２ａはＨ形鋼が用いられ、下端のベースプレート２ｂで接地し、柱材２ａの山側の上端付近と下端付近に吊りブラケット２ｃ，２ｄを、斜面Ｇの山側上方に打ち込まれたアンカーと二股状のワイヤー４で連結し、雪崩予防柵１を斜面Ｇに吊られた状態で固定する。柱材２ａの谷側にはブレース５を設け、雪崩柵支柱２間を補強する。雪崩柵支柱２を固定する方法として、斜面に基礎を構築することはコストがかかるので、上記は一般的に利用されている工法である。本実施例で示す雪崩予防柵１は、斜面Ｇから柱材２ａの上端までの高さ約２ｍ、雪崩柵支柱２の設置間隔は約２．２ｍ、丸鋼管３の太さは直径約１０２ｍｍのものである。【００２５】  次に降雪初期でも雪崩予防柵１に雪庇Ｓが形成される過程について説明する。図２に示すように雪崩予防柵１は斜面Ｇと柵とで略Ｖ字形を形成し、雪は略鉛直に上空から降るので、斜面Ｇも雪崩予防柵１の格子面も降る雪に対して角度がついた受雪面となる。雪崩予防柵１は、丸鋼管３で格子状に構成していても、日光による融雪や着氷、雪密度の変化により徐々に格子の隙間は狭まり、積雪で埋没する。当然、雪崩予防柵１の上端付近にも積雪するから、斜面Ｇ山方から吹き下ろす風等の影響を受けて、図２のような雪庇Ｓが形成される。この雪庇Ｓは、積雪と風により次第に成長し、その雪の塊の基部が重量に耐えられなくなると落下し、下方の交通に影響を与える。【００２６】  図３から示すのは本考案に係る雪崩予防柵１の雪庇防止部材１０の一実施例である。雪庇防止部材１０は主に雪崩予防柵１の上端付近に取付ける複数の支柱１１と、支柱１１間に横方向に掛け渡される上下に二枚の防雪板１２、上方の防雪板１２の上端に取付ける雪切板１３、上下の防雪板１２を繋ぐ繋ぎ板１４から構成される。【００２７】  支柱１１は、図３に示すように断面の辺が１００ｍｍの正方形角形鋼管を溶接接合して略く字状に形成し、その上端は斜面Ｇの山側へ斜めにカットしておく。支柱１１の上方かつ谷側となる面と略面一に耳状のフランジ１１ａ、支柱１１の下方の山側の面と略面一にフランジ１１ｂを左右に溶接して設け、フランジ１１ａ，１１ｂにはそれぞれ取付け穴を設けておく。【００２８】  防雪板１２は横長短冊状の薄鋼板で、その短手断面の中央付近は半円状な凸部１２ａを成形しておく。凸部１２ａの上下端から上下へ直線形状の直線取付け部１２ｂとしておく。防雪板１２を全体に見るとその上下端に防雪板１２の長手長さに渡ってフランジ状の平面が形成される。直線取付け部１２ｂには長手方向の端部、および中間には間隔を空けて取付け穴を設けておく���本実施例に示す防雪板１２は板厚１．６ｍｍ、短手の長さ２５０ｍｍ、長手の長さ２７００ｍｍ、直線取付け部１２ｂから凸部１２ａの突出高さは約７０ｍｍ、直線取付け部１２ｂは上下の長さはそれぞれ約３０ｍｍとした。【００２９】  防雪板１２の凸部１２ａの上下の略中央から下方に、多穴としての多数の長穴１２ｃを設ける。本実施例では縦１８ｍｍ、横２８ｍｍの大きさの長穴で、横方向には約３０ｍｍピッチ、縦方向には千鳥に約２０ｍｍピッチで、長手方向には全域に設けておく。【００３０】  上方の防雪板１２において、その上方の直線取付け部１２ｂに平板鋼板の雪切部材としての雪切板１３を、取付け穴を用いて重ねて固定する。本実施例では板厚３．２ｍｍ、縦８５ｍｍの鋼板で、上方の防雪板１２から上方へ約４０ｍｍ突出するよう取付ける。【００３１】  上下の両防雪板１２の直線取付け部１２ｂの長手中間部同士を上下に繋ぐ繋ぎ板１４を三枚設ける。繋ぎ板１４は板厚６ｍｍ、幅５０ｍｍの平鋼で、上下の防雪板１２を繋いで中間部の補強の役割をする。【００３２】  以上のように構成した雪庇防止部材１０を、図５に示すように雪崩予防柵１に取付ける。支柱１１の下方のフランジ１１ｂに設けた取付け穴で、雪崩予防柵１の上方の２本の丸鋼管３にＵボルトで固定する。取付けた際、支柱１１の略く字形状の上方は略鉛直となるような角度としておく。雪崩予防柵１が横方向に長く設置されている場合、支柱１１も防雪板１２のピッチで複数取付けて行き、雪庇防止部材１０を連続的に設置すれば良い。【００３３】  上記のように雪庇防止部材１０を設置することで、図２のような雪庇Ｓは形成されない。雪庇防止部材１０を略鉛直の柵状に設置しているため、降雪を受ける面が少なくなる。防雪板１２の凸部１２ａ上、支柱１１上端は降雪を受ける面となりうるが、斜面Ｇの山側に傾斜させているため、谷側へ落雪させることが無い。また、上方の防雪板１２の凸部１２ａ上面に積雪しても、上端が尖った平板鋼板の雪切板１３が最上部にあるため、雪庇が成長せずに小さい状態で切り落とされ、成長しない。【００３４】  また、防雪板１２の凸部１２ａ下方には長穴１２ｃを多数設けているので、日中の太陽光を山側へ通し、防雪板１２に接する雪の融雪を促して、山側からの雪圧力を低減することができる。長穴１２ｃは風も通すので、山側の積雪抑制効果もある。【００３５】  防雪板１２は短手断面を屈曲成形しているから断面性能が高く、横に長尺材であっても曲げに強くなる。したがって、薄板の鋼板でも防雪部材を構成でき、軽量かつ安価に雪庇防止部材１０を構成できる。また、繋ぎ板１４で上下の防雪板１２の長手中間部を繋いでいるため、山側からの雪圧に対して強固であり、破損を防止できる。【００３６】  また、防雪板１２の凸部１２ａ上方は無穴としているため、上記断面性能が低下しすぎることなく、山側からの雪圧力で防雪板１２が曲げられることを防止できる。下方の通し穴１２ｃの開口率は、断面性能を鑑みて適宜調整すると良い。【００３７】  以上の本考案は上記の実施形態に限定されるものではなく、その要旨の範囲内で種々の変更が可能である。例えば、雪庇防止部材１０を丸鋼管３で格子面を構成した雪崩防止柵１に対して取り付ける���を示したが、格子面を角形鋼管やネットで構成する場合は、角形鋼管にコの字ボルトで固定する方法や、支柱１１を雪崩柵支柱２に重ねてボルト等で固定するようにしても良い。【００３８】  また、防雪板１２の凸部１２ａを半円形状にした例を示したが、台形状等に凸でも良い。防雪板１２の凸部１２ａに長穴１２ｃを設けた例を示したが、無穴でも良い。しかし上記のように融雪、通風効果から穴があることが望ましい。もちろん、穴の形状は長穴に限らず他形状でも良い。【００３９】  防雪板１２を上下に二段で取付けた例を示したが、一段や三段以上としても良い。望ましくは設置場所毎に気象条件等を考慮して変更すれば良い。【００４０】  雪切板１３は平板で構成したが、上端が尖って雪を切断できれば良く、断面が三角形状の長尺鋼板等としても良い。
【符号の説明】
【００４１】１    雪崩予防柵
２    雪崩柵支柱
２ａ  柱材
２ｂ  ベースプレート
２ｃ  吊りブラケット
２ｄ  吊りブラケット
３    丸鋼管
４    ワイヤー
５    ブレース
１０  雪庇防止部材
１１  支柱
１１ａ  フランジ
１１ｂ  フランジ
１２  防雪板
１２ａ  凸部
１２ｂ  直線取取付け部
１２ｃ  長穴
１３  雪切板
１４  ？ぎ板
Ｇ    斜面
Ｓ    雪庇
【図１】
0003222532.tif 000003
【図２】
0003222532.tif 000004
【図３】
0003222532.tif 000005
【図４】
0003222532.tif 000006
【図５】
0003222532.tif 000007
【図６】
0003222532.tif 000008
【図７】
0003222532.tif 000009